(57)【要約】【課題】  安定した計器装置の組み付けを行うことができる計器装置における組み付け構造を提供することを目的とする。【解決手段】  計器ケース１の前面開放側を覆う透明なカバープレート１１と、このカバープレート１１の周縁部分および計器ケース１の周面部分を被うバイザー１２と、計器ケース１の周面部分および計器ケース１の後部を覆うアンダーカバー１３と、からなる計器装置において、計器ケース１の周面部分の適所に複数個の係止部１４を設け、この各係止部１４と係合保持するための弾性変形可能な係合片１５をバイザー１２やカバープレート１１に設け、アンダーカバー１３には、係止部１４と係合片１５とによる係合箇所において、係合片１５の配設位置に合わせて係合片１５の外面を押圧しながら保持する突き当て部１７を設けてなることを特徴とする計器装置における組み付け構造。【選択図】  図３
2010066098.tif 000002
【特許請求の範囲】
【請求項１】
計器類を組み付ける計器ケースと、この計器ケースの前面開放側を覆う透明なカバープレートと、このカバープレートの周縁部分および前記計器ケースの周面部分を被うバイザーと、前記計器ケースの周面部分および計器ケースの後部を覆うアンダーカバーと、からなる計器装置において、前記計器ケースの周面部分の適所に複数個の係止部を設け、この各係止部と係合保持するための弾性変形可能な係合片を前記バイザーあるいは前記カバープレートの少なくとも一方に設け、前記アンダーカバーには、前記係止部と前記係合片とによる係合箇所において、前記係合片の配設位置に合わせて前記係合片の外面を押圧付勢するように接触保持する突き当て部を設けてなることを特徴とする計器装置における組み付け構造。
【請求項２】
前記突き当て部は、アンダーカバーの内面側にて奥行き方向に沿って延びる突き当て壁部からなることを特徴とする請求項１に記載の計器装置における組み付け構造。
【請求項３】
前記突き当て壁部からなる前記突き当て部には、組み付け時における誘い込み用の傾斜面を形成してなることを特徴とする請求項２に記載の計器装置における組み付け構造。
【発明の詳細な説明】
【技術分野】
【０００１】
本発明は、たとえば自動車などに搭載される計器類を収納する計器装置において、その計器装置における組み付け構造に関するものである。
【背景技術】
【０００２】
従来、自動車やオートバイなどに装備される計器装置として、たとえば速度計，回転計，温度計などの計器類や各種装置の状態を運転者に知らせるための警報装置などが合成樹脂製の計器ケース内に収納されている。この場合、前記計器類や警報装置などを収納する計器ケースの前面開放側に前記計器類などの上面側から塵埃などが入らないように合成樹脂材料からなる透視可能なカバープレートによって覆って構成している。また計器ケースのカバープレートの周縁部分には、計器ケースの周面部分を覆って目隠ししたり、見栄えを良好にするためのバイザー（クラスター）が設けられている。
【０００３】
この場合、計器装置の計器ケースとカバープレート側とバイザー側との組み付け構造としては、ビスなどの固定部材を介して固定保持している。（特許文献１、特許文献２を参照）
【０００４】
ところで、上述した特許文献１や特許文献２などの計器装置においては、計器ケースとカバープレート側とバイザー側との組み付け構造としてビスなどの別部品からなる固定部材にて締め付け固定しなければならず、組み付け作業に手間がかかるという問題がある。
【０００５】
この点を考慮するものとして、特許文献３に示されているように、固定部品であるビスなどの別部品を必要最小限に留めるようにしている。この場合、一方の計器ケース側にケースと一体に係合突起（係止用爪部）を設け、他方のカバープレートやバイザーなどに弾性変形可能な係合片を一体に設け、その係合片を係合突起に係合して抜け止め保持するようにした組み付け構造を採用しており、アンダーカバーをビスなどの固定部品によって計器ケース側に螺着して固定するようにしている。
【特許文献１】実開昭６３−１７０７１３号公報
【特許文献２】実開昭６３−７３１５号公報
【特許文献３】特開２００７−１０１１９５号公報
【発明の開示】
【発明が解決しようとする課題】
【０００６】
ところで、上述したように、特許文献３にあっては、個別の固定部品を極力少なくすることによって組み付け作業の作業効率を高めることができるというメリットがある反面、係合突起と係合片との嵌め込み固定による組み付け構造の場合、寸法の公差や外気温度の変化などによって寸法のバラツキが生じることがあり、このため固定強度にバラツキが生じることがあるため、軋み音や組み付け部品間においてガタツキが発生してしまうという問題がある。
【０００７】
そこで本発明は、前述の課題に対して対処するため、計器装置の計器ケース、カバープレート、バイザーなどの組み付け作業性を良好にし、安定した計器装置の組み付けを行うことができる計器装置における組み付け構造を提供することを目的とする。
【課題を解決するための手段】
【０００８】
本発明は上記目的を達成するため、以下の技術的手段を採用する。
【０００９】
本発明は前述した課題を解決するため、請求項１に記載の計器装置における組み付け構造では、計器類を組み付ける計器ケースと、この計器ケースの前面開放側を覆う透明なカバープレートと、このカバープレートの周縁部分および前記計器ケースの周面部分を被うバイザーと、前記計器ケースの周面部分および計器ケースの後部を覆うアンダーカバーと、からなる計器装置において、前記計器ケースの周面部分の適所に複数個の係止部を設け、この各係止部と係合保持するための弾性変形可能な係合片を前記バイザーあるいは前記カバープレートの少なくとも一方に設け、前記アンダーカバーには、前記係止部と前記係合片とによる係合箇所において、前記係合片の配設位置に合わせて前記係合片の外面を押圧付勢するように接触保持する突き当て部を設けてなることを特徴としている。
【００１０】
上述の構成によれば、計器ケースの周面部分の適所に複数個の係止部を設け、この各係止部と係合保持するための弾性変形可能な係合片をバイザー側に設け、アンダーカバーには、計器ケースに設けた係止部とバイザーあるいはカバープレートに設けた係合片とによる係合箇所において、前記係合片の配設位置に合わせて前記係合片の外面を押圧付勢するように接触保持する突き当て部を設けてなることによって、係合突起と係合片との嵌め込み固定による組み付け強度を保つことができ、車両などエンジン駆動による振動や走行時における振動などにより振動を受けやすい環境下においてもガタツキや軋み音などの発生を抑えることができる。
【００１１】
また請求項２では、請求項１に記載の計器装置における組み付け構造において、前記突き当て部は、アンダーカバーの内面側にて奥行き方向に沿って延びる突き当て壁部からなることを特徴としている。
【００１２】
上述の構成によれば、アンダーカバーに設けた突き当て壁部によって、計器ケースに設けた係止部とバイザーあるいはカバープレートの少なくとも一方に設けた係合片とによる係合箇所において、係合片の配設位置に合わせて前記係合片の外面を押圧付勢するように部分的に押圧状態にて接触保持することができ、これにより係合突起と係合片との嵌め込み固定による組み付け強度を保つことができるものであり、車両などエンジン駆動による振動や走行時における振動などにより振動を受けやすい環境下においてもガタツキや軋み音などの発生を抑えることができる。
【００１３】
また請求項３では、請求項２に記載の計器装置における組み付け構造において、前記突き当て壁部からなる前記突き当て部には、組み付け時における誘い込み用の傾斜面を形成してなることを特徴としている。
【００１４】
上述の構成によれば、アンダーカバーの組み付け時において、計器ケースの背後からバイザーに向けてアンダーカバーをセットする際、アンダーカバーに設けた突き当て部が係合片に接触するときに誘い込み用の傾斜面に沿って送り込まれるため、所定の位置に簡単にセットすることができ、計器装置の組み付け作業を良好に行うことができる。
【発明の効果】
【００１５】
本発明では、計器類を組み付ける計器ケースと、この計器ケースの前面開放側を覆う透明なカバープレートと、このカバープレートの周縁部分および前記計器ケースの周面部分を被うバイザーと、前記計器ケースの周面部分および計器ケースの後部を覆うアンダーカバーと、からなる計器装置において、前記計器ケースの周面部分の適所に複数個の係止部を設け、この各係止部と係合保持するための弾性変形可能な係合片を前記バイザーあるいはカバープレートの少なくとも一方側に設け、前記アンダーカバーには、前記係止部と前記係合片とによる係合箇所において、前記係合片の配設位置に合わせて前記係合片の外面を押圧付勢するように接触保持する突き当て部を設けてなることを特徴とする計器装置における組み付け構造であるため、係合突起と係合片との嵌め込み固定による組み付け強度を保つことができ、車両などエンジン駆動による振動や走行時における振動などにより振動を受けやすい環境下においてもガタツキや軋み音などの発生を抑えることができる計器装置における組み付け構造を提供することができるものであり、これにより初期の目的を達成することができる。
【発明を実施するための最良の形態】
【００１６】
本発明の対象とする計器装置における組み付け構造として、車両用の指示計器に適用した実施例として説明する。
【実施例１】
【００１７】
本発明の第１実施例を図１から図５に示す。この種の計器装置として、中央に速度計からなる指示計器と、右側に回転計からなる指示計器と、左側に燃料計や温度計からなる指示計器と、液晶表示素子などからなる走行距離表示器やギヤポジション表示器や各種車両などの状態を表示する検出表示器などが配置され、それぞれが計器ケース１に組み付け固定されている。
【００１８】
この場合、図１の中央に位置した速度計からなる指示計器にあっては、図２に示すように、計器ケース１に指示計器の計器本体２が取付固定されており、この計器本体２に設けられた指針軸３の先端側に、指針軸３を軸芯として回転する指針４が圧入固定されている。この実施例における指針構造としては、透明な合成樹脂たとえばアクリル樹脂にて形成された発光指針４を用いている。
【００１９】
また前記指針４の背後側には、目盛や数字や記号などからなる指標部が施された表示板５が配設されている。また前記表示板５の背面側に位置して硬質の回路基板６が設けられ、この回路基板６と前記表示板５との間に合成樹脂製からなる計器ケース１の一部を形成するライトケース７が配設されている。また前記回路基板６上には、前記ライトケース７内に臨んで前記表示板５の目盛・数字など指標部を透過照明したり、液晶表示素子などを透過照明するための光源（発光ダイオード８）と、前記指針４を発光照明するための指針用光源（発光ダイオード９）とが実装されている。なお、前記回路基板６の背後側には前記指針軸３を回動する前記計器本体２が取付固定されている。
【００２０】
また、前記表示板５の前面側には表示板５の周りと計器ケース１との隙間部分を目隠しする見返し部材１０が配設され、この見返し部材１０の前面開放側には前記指示計器類などの上面側から塵埃などが入らないように合成樹脂材料からなる透視可能なカバープレート１１によって覆って構成している。
【００２１】
またカバープレート１１の外郭周縁部分には、計器ケース１の周面部分を覆って目隠ししたり、見栄えも良好となるようにバイザー１２が設けられ、そのバイザー１２の後方には、計器ケース１および回路基板６を覆うアンダーカバー１３が設けられている。
【００２２】
また、第１実施例による計器装置における組み付け構造としては、計器ケース１の側周面部分の適所には計器ケース１の奥行き方向に沿って傾斜し最深部箇所に抜け止め保持するための係止用爪部（係止部）１４を設け、この係止用爪部１４と係合保持するための弾性変形可能な平板状の係合片１５を前記バイザー１２の内面側から一体に突き出し形成して係合機構を構成している。この場合、前記係合片１５には係止用爪部１４と係合し抜け止め支持可能な係止孔１５Ａが設けられている。
【００２３】
また、計器ケース１に設けられた係止用爪部１４の両側に位置して、バイザー１２に設けられた係合片１５を計器ケース１側の係止用爪部１４に組み付け保持する際の位置合わせ（誘い込み）となるガイド壁１６が設けられており、そのガイド壁１６に沿ってバイザー１２に設けた係合片１５を案内しながら組み付けることができるように構成している。
【００２４】
また、前記係止用爪部１４の両側に設けたガイド壁１６の先端部分に、バイザー１２と所定の位置にて突き当て配置するための当接部１６Ａを設けたことにより、バイザー１２と計器ケース１側とを組み付けた後に計器ケース１側に設けたガイド壁先端部分の当接部１６Ａによってバイザー１２を所定位置に組み付け保持することができるように構成している。この際、ガイド壁先端部分の当接部１６Ａと突き当て配置されるバイザー１２側としては、平板状からなる係合片１５の幅寸法を係止孔１５Ａより基部側にて幅広に形成した肩部（受け部）１５Ｂにて前記ガイド壁先端部分の当接部１６Ａと当接するように構成している。
【００２５】
また図５に示すように、カバープレート１１の周縁部分に弾性係合爪１１Ａを一体に設け、この弾性係合爪１１Ａ位置に対応して計器ケース１側には係止用受け部（窓孔）１Ａを設け、この係止用受け部１Ａに弾性係合爪１１Ａを嵌合固定することにより、カバープレート１１と計器ケース１とを強固に組み付け保持することができるように構成している。また、回路基板６には、計器ケース１に設けた弾性係合爪１Ｂと係合固定するために係止用孔部６Ａを形成している。
【００２６】
ところで、この第１実施例にあっては、アンダーカバー１３には、計器ケース１に設けられた係止用爪部１４とバイザー１２に設けられた係合片１５とによる係合箇所において、前記係合片１５の配設位置に合わせて前記係合片１５の外面を押圧付勢するように接触保持する突き当て部１７が設けられている。
【００２７】
突き当て部１７は、アンダーカバー１３の内壁面側にて奥行き方向に沿って延びる突き当て壁部１７Ａによって形成されており、この突き当て壁部１７Ａは計器ケース１に設けられた係止用爪部１４の両側に位置して２列に突設されて設けられている。また各突き当て壁部１７Ａの先端部側には、アンダーカバー１３の組み付け時における誘い込み用の傾斜案内面１７Ｂがそれぞれ設けられている。
【００２８】
なお、計器ケース１に対するアンダーカバー１３の固定手段として、計器ケース１の背後側に突出して設けた筒状部１Ｃの位置に合わせてアンダーカバー１３に固定用穴部１３Ａを設け、この固定用穴部１３Ａを介してアンダーカバー１３をビス１８などの固定部品によって計器ケース１側に螺着して固定するようにしている。
【００２９】
上記構成からなる第１実施例における計器装置においては、計器装置の計器ケース１とカバープレート１１側とバイザー１２側との組み付け構造として、特にカバープレート１１の前面側にバイザー１２を固定保持する際、計器ケース１の周面部分に設けた係止用爪部１４にバイザー１２に設けた係合片１５が嵌合して計器ケース１側とバイザー１２側とを簡単に固定保持することができるものであり、この固定保持後において、アンダーカバー１３の組み付け時に、計器ケース１の背後からバイザー１２に向けてアンダーカバー１３をセットする際、アンダーカバー１３に設けた２列の突き当て壁部１７Ａからなる突き当て部１７が係合片１５に接触するときに誘い込み用の傾斜面１７Ｂが係合片１５に沿って接触しつつ送り込まれるため、所定の位置に簡単にセットすることができ、計器装置の組み付け作業を良好に行うことができる。この際、組み付け時において、突き当て壁部１７Ｂの長手方向に沿って送り込まれることにより、突き当て壁部１７Ｂを傷めることなく送り込むことができるとともに、組み付け後においては、平板状の係合片１５に対して２列に突設された突き当て壁部１７Ｂとが線接触状態にて押圧保持されるため固定強度を充分保つことができる。
【００３０】
また、アンダーカバー１３に設けた突き当て壁部１７によって、計器ケース１に設けた係止用爪部１４（係止部）とバイザー１２に設けた係合片１５とによる係合箇所において、係合片１５の配設位置に合わせて前記係合片１５の外面を押圧付勢するように部分的に押圧状態にて接触保持することができ、これにより係止用爪部１４と係合片１５との嵌め込み固定による組み付け強度を保つことができるとともに、車両などエンジン駆動による振動や走行時における振動などにより振動を受けやすい環境下においても計器ケース１に組み付けられるカバープレート１１，バイザー１２，アンダーカバー１３などのガタツキや軋み音などの発生を抑えることができる。
【００３１】
また、計器ケース１の周面部分に設けた係止用爪部１４の両側に、バイザー１２に設けた係合片１５を計器ケース１側の係止用爪部１４に組み付け保持する際の位置合わせとなるガイド壁１６を設けてなることにより、そのガイド壁１６に沿ってバイザー１２に設けた係合片１５を案内しながら組み付けることができるため、さらに組み付け作業性を良好に行うことができるものであり、またガイド壁１６の先端部分（上端部分）に、バイザー１２と所定の位置にて突き当て配置するための当接部１６Ａを設けたことにより、バイザー１２側、この実施例にあってはバイザー１２側に設けられた平板状からなる係合片１５の幅寸法を係止孔１５Ａより基部側にて幅広に形成した肩部（受け部）１５Ｂにてガイド壁先端部分（ガイド壁上端部分）の当接部１６Ａと当接するように構成することにより計器ケース１側に設けたガイド壁先端部分の当接部１６Ａによってバイザー１２を所定の位置に突き合わせて組み付け保持することができる。なお、ガイド壁１６は、係止用爪部１４の両側に設けたが、片側に設けてあっても同様な効果を得ることが可能である。
【００３２】
本発明は、前述した実施例に限定されるものではなく本発明の要旨の範囲内において種々の変形実施が可能である。たとえば、実施例においては、計器ケース１の側周面部分に係止部である係止用爪部１４を一体に突き出し形成し、この係止用爪部１４と係合するようにバイザー１２から一体に平板状からなる係合片１５を形成し、この係合片１５には係止用爪部１４と係合し抜け止め支持可能な係止孔１５Ａを設けて構成していたが、係止部として計器ケース１の周面部分に段差からなる係止用段差部を設け、この係止用段差部と係合する係合爪を有する係合片をバイザー１２に設けて係合保持する構造であっても良いものであり、また、係止部１４と係合片１５の配設位置や個数などは計器装置の形状や大きさなどに合わせて配置すれば良い。この際、アンダーカバー１３には、係止部１４と係合片１５とによる係合箇所において、係合片１５の配設位置に合わせて係合片１５の外面を押圧付勢するように接触保持する突き当て部１７が設けてあれば良い。なお、前述した実施例では計器ケース1の係止部１４と対向してバイザー１２に係合片１５を設けてなる構造を例にして説明していたが、バイザー１２の代わりにカバープレート１１に係合片を設けても同様の効果を得ることができるものである。
【産業上の利用可能性】
【００３３】
また、前述した実施例などにおいて詳述したように、車両用の指示計器を例にして計器装置を説明したが、車両用計器に限らず船舶用計器あるいは農業機械の計器などにおいても適用することが可能である。
【図面の簡単な説明】
【００３４】
【図１】図１は、本発明の第１実施例における計器装置を示す正面図である。
【図２】図２は、図１のＡ−Ａ線箇所を示す断面図である。
【図３】図３は、図２の要部を示す拡大断面部である。
【図４】図４は、図２の計器装置の要部を示す拡大分解斜視図である。
【図５】図５は、図１のＢ−Ｂ線箇所を示す断面図である。
【符号の説明】
【００３５】
１    計器ケース
１Ａ    係止用受け部（窓孔）
１Ｂ    弾性係合爪
１Ｃ    筒状部
２    計器本体
３    指針軸
４    指針
５    表示板
６    回路基板
６Ａ    係止用孔部
７    ライトケース
８    光源（発光ダイオード）
９    指針用光源（発光ダイオード）
１０    見返し部材
１１    カバープレート
１１Ａ    弾性係合爪
１２    バイザー
１３    アンダーカバー
１３Ａ    固定用穴部
１４    係止部（係止用爪部）
１５    係合片
１５Ａ    係止孔
１５Ｂ    肩部（受け部）
１６    ガイド壁
１６Ａ    当接部
１７    突き当て部
１７Ａ    突き当て壁部
１７Ｂ    傾斜面
１８    ビス（固定部品）
【図１】
2010066098.tif 000003
【図２】
2010066098.tif 000004
【図３】
2010066098.tif 000005
【図４】
2010066098.tif 000006
【図５】
2010066098.tif 000007